(57)【要約】      （修正有）【課題】受信した情報が所定のテレビ会議端末を示す情報である場合、個別会議を終了するテレビ会議システムを提供する。【解決手段】テレビ会議システムにおいて、音声データを字幕データに変換することにより、テレビ会議端末に発言内容を字幕として表示する。この字幕はテレビ会議端末毎に色分けして表示してもよい。また、テレビ会議システムにおいて、所定のキーワードを登録しておき、個別会議を行っている際に、全体会議において所定のキーワードに合致する発言がなされた場合に、個別会議を終了して全体会議に戻るようにする。【選択図】図７
2015041885.tif 000002
【特許請求の範囲】
【請求項１】
複数のテレビ会議端末と、前記テレビ会議端末が参加するテレビ会議を制御するテレビ会議サーバと、音声認識サーバとがネットワークを介して接続されるテレビ会議システムであって、
前記テレビ会議サーバは、前記テレビ会議端末から映像データおよび音声データを受信すると、前記音声データを前記音声認識サーバへ送信し、
前記音声認識サーバは、受信した音声データを字幕データに変換して前記テレビ会議サーバへ送信し、
前記テレビ会議サーバは、前記映像データと前記音声認識サーバから受信した字幕データを合成した映像データを作成し、前記音声データとともに前記テレビ会議に参加している前記複数のテレビ会議端末へ送信し、
前記複数のテレビ会議端末は、前記テレビ会議サーバから受信した映像データにより、字幕付きの映像を画面表示することを特徴とするテレビ会議システム。
【請求項２】
請求項１に記載のテレビ会議システムであって、
前記音声認識サーバは、変換した字幕データに前記テレビ会議端末に応じた色付けを行って前記テレビ会議サーバへ送信し、
前記テレビ会議サーバは、色付けが行われた前記字幕データを合成した映像データを作成して前記複数のテレビ会議端末へ送信し、
前記複数のテレビ会議端末は、前記テレビ会議サーバから受信した前記映像データにより、前記テレビ会議端末に応じて色付けされた字幕付きの映像を画面表示することを特徴とするテレビ会議システム。
【請求項３】
請求項１または請求項２に記載のテレビ会議システムであって、
複数の前記テレビ会議端末に対応する文字データを管理する検索サーバが前記ネットワークを介して接続されており、
前記テレビ会議に参加している複数の前記テレビ会議端末のうち、前記テレビ会議サーバを介して所定のテレビ会議端末間のみで音声データの送受信を行なう個別会議を行っている場合、
前記音声認識サーバは、変換した前記字幕データを前記検索サーバへ送信し、
前記検索サーバは、受信した前記字幕データと前記文字データとを照合し、前記字幕データに前記文字データが含まれていた場合、前記含まれていた文字データに対応するテレビ会議端末の情報を前記テレビ会議サーバへ送信し、
前記テレビ会議サーバは、受信した前記情報が前記所定のテレビ会議端末を示す情報である場合、前記個別会議を終了することを特徴とするテレビ会議システム。
【請求項４】
請求項３に記載のテレビ会議システムであって、
前記検索サーバは、複数の前記テレビ会議端末毎に異なる文字データを管理することを特徴とするテレビ会議システム。
【発明の詳細な説明】
【技術分野】
【０００１】
本発明は、テレビ会議システムに関する。
【背景技術】
【０００２】
勤務地が離れているビジネスパートナーとの有効なコミュニケーションツールとしてテレビ会議システムがよく知られており、テレビ会議システムの利便性を向上する技術もいくつも存在する。例えば、特許文献１には、テレビ会議システムにおいて、参加者全員が参加できる全体ミーティングルームと参加者の一部みが参加できる個別ミーティングルームを設定することが記載されている。また、特許文献２には、テレビ会議システムに参加する各端末装置の各表示装置にそれぞれ映像を表示しつつ、テキストデータに関する共通の画像も表示することが記載されている。また、特許文献３には、入力音声を認識して文字に変換することが記載されている。
【先行技術文献】
【特許文献】
【０００３】
【特許文献１】特開2005-136524号公報
【特許文献２】特開2009-296049号公報
【特許文献３】特開2010-054685号公報
【発明の概要】
【発明が解決しようとする課題】
【０００４】
ところで、臨場感を求めたテレビ会議システムにおいて、相手の会話がうまく聞き取れないことによる聞き返しの発生や、複数者が参加する多地点での会議のときは、発言者が誰であるかを瞬時に判断することができない場合が多く、本来遠隔地間でも会議できることによる移動時間と出張コスト削減というメリットが、意思疎通がうまく取れずに会議時間が長くなることや、会議の開催頻度増加により、テレビ会議利用が敬遠され従来どおりの一箇所に召集した会議を行う企業が見受けられる。
【０００５】
また、一箇所に召集して会議する場合には実現できる会議中の「ひそひそ話し（個別会議）」についても、複数拠点でのテレビ会議では、別の通信機器及び会議システムを利用する必要があり、会議中の場を離れることは、会議効率低下と共に参加者の会議意欲の低下に繋がることが想定される。また全体会議中に「ひそひそ話し」を行うための個別会議を実施している場合に、全体会議の参加者から呼出が掛かっていることを把握できない場合がある。
【課題を解決するための手段】
【０００６】
上記課題を解決するために、本発明は、複数のテレビ会議端末と、テレビ会議サーバと、音声認識サーバとがネットワークを介して接続されるテレビ会議システムであって、テレビ会議サーバは、テレビ会議端末から受信した音声データを前記音声認識サーバへ送信し、音声認識サーバは、音声データを字幕データに変換してテレビ会議サーバへ送信し、テレビ会議サーバは、映像データと音声認識サーバから受信した字幕データを合成した映像データを作成し、音声データとともにテレビ会議に参加している複数のテレビ会議端末へ送信し、複数のテレビ会議端末は、テレビ会議サーバから受信した映像データにより、字幕付きの映像を画面表示するテレビ会議システムを提供する。また、字幕はテレビ会議端末毎に色分けされていてもよい。
【０００７】
また、別の実施形態として、本発明はさらに複数の前記テレビ会議端末に対応する文字データを管理する検索サーバがネットワークを介して接続されており、テレビ会議に参加している複数のテレビ会議端末のうち、テレビ会議サーバを介して所定のテレビ会議端末間のみで音声データの送受信を行なう個別会議を行っている場合、音声認識サーバは、変換した字幕データを検索サーバへ送信し、検索サーバは、受信した字幕データと文字データとを照合し、字幕データに文字データが含まれていた場合、含まれていた文字データに対応するテレビ会議端末の情報をテレビ会議サーバへ送信し、テレビ会議サーバは、受信した情報が所定のテレビ会議端末を示す情報である場合、個別会議を終了するテレビ会議システムを提供する。
【発明の効果】
【０００８】
本発明によれば、テレビ会議の利便性を向上することができる。
【図面の簡単な説明】
【０００９】
【図１】テレビ会議システムの構成図である。
【図２】字幕表示処理を示すフローチャートである。
【図３】個別会議制御処理を示すフローチャートである。
【図４】検索サーバが音声認識サーバ１０２から字幕データを受信した際の動作を示すフローチャートである。
【図５】検索サーバがテレビ会議端末から登録する文字列とテレビ会議端末ＩＤを受信した際の動作を示すフローチャートである。
【図６】個別会議を行っているときに全体会議に呼び戻される際のテレビ会議サーバ１０１の動作を示すフローチャートである。
【図７】音声字幕表示の動作シーケンスの例である。
【図８】個別会議制御処理の動作シーケンスの例である。
【図９】全体会議からの呼び戻し処理の動作シーケンスの例である。
【図１０】テレビ会議サーバの構成例を示す図である。
【図１１】テレビ会議端末管理テーブルの例を示す図である。
【図１２】テレビ会議端末状態管理テーブルの例を示す図である。
【図１３】音声認識サーバの構成例を示す図である。
【図１４】検索サーバの構成例を示す図である。
【図１５】文字データ管理テーブルの例を示す図である。
【図１６】字幕色管理テーブルの例を示す図である。
【発明を実施するための形態】
【００１０】
以下、本発明の実施形態を図面を用いて説明する。
図１は、本実施形態におけるテレビ会議システムの構成図である。テレビ会議機能を有するテレビ会議端末１０４，１０５がネットワークを介してテレビ会議サーバ１０１と接続されており、テレビ会議端末１０４，１０５は、テレビ会議の音声・映像データをテレビ会議サーバ１０１と送受信することで、テレビ会議端末１０４，１０５同士でテレビ会議を行う。テレビ会議サーバ１０１は、テレビ会議端末の制御や映像の制御など、テレビ会議端末１０４，１０５間でのテレビ会議に必要な各種処理を実行する。テレビ会議端末の数は２台に限らず、３台以上でもよい。また、音声認識サーバ１０２および検索サーバ１０３もネットワークを介してテレビ会議サーバに接続されている。
【００１１】
図１０は、テレビ会議サーバ１０１の構成例を示す図である。テレビ会議サーバ１０１は、テレビ会議端末ＩＤとテレビ会議端末名を管理するテレビ会議端末ＩＤ記憶部１００１と、テレビ会議端末の会議状態を管理するテレビ会議端末状態記憶部１００２と、各テレビ会議端末の映像や字幕データを合成する映像合成部１００３と、テレビ会議を制御する制御部１００４を備える。
【００１２】
図１１は、テレビ会議端末ＩＤ記憶部１００１が管理するテレビ会議端末管理テーブルの例を示す図である。テレビ会議端末管理テーブルには、レコード番号１１０１、テレビ会議端末１０４，１０５毎に一意に割り当てられたテレビ会議端末ＩＤ１１０２、各テレビ会議端末１０４，１０５のテレビ会議端末名１１０３を保持する。本テーブルは管理者により、予め設定されているものとする。
【００１３】
図１２は、テレビ会議端末状態記憶部１００２が管理するテレビ会議端末状態管理テーブルの例を示す図である。テレビ会議端末状態管理テーブルには、レコード番号１２０１、テレビ会議端末ＩＤ１２０２に加え、テレビ会議端末毎の状態を示す会議状態１２０３を保持する。制御部１００４は、各テレビ会議端末の状態に応じて、会議状態１２０３を「個別会議中」や「全体会議中」などに更新する。
【００１４】
図１３は、音声認識サーバ１０２の構成例を示す図である。音声認識サーバ１０２は、テレビ会議サーバ１０１と連携し、テレビ会議サーバ１０１から音声データを受信して音声を認識する音声認識部１３０１と、音声データを字幕データに変換しテレビ会議端末毎に色分けを行う字幕作成部１３０２と、テレビ会議端末ＩＤと字幕色を対応付けて管理する字幕色記憶部１３０３とを備える。
【００１５】
図１６は、字幕色記憶部１３０３が管理する字幕色管理テーブルの例を示す図である。字幕色管理テーブルには、レコード番号１６０１とテレビ会議端末ＩＤ１６０２に対応づけて字幕色１６０３を保持する。
【００１６】
図１４は、検索サーバ１０３の構成例を示す図である。検索サーバ１０３は、テレビ会議端末ＩＤと所定の文字データを対応付けて管理する文字データ記憶部１４０１と、テレビ会議端末から送信されるテレビ会議端末ＩＤや文字データを文字データ記憶部１４０１に登録したり、音声認識サーバ１０２から送信される字幕データを元に文字データ記憶部１４０１を検索し、所定の文字列が登録されていた場合に対応するテレビ会議端末ＩＤをテレビ会議サーバへ送信する文字データ処理部１４０２とを備える。
【００１７】
図１５は、文字データ記憶部１４０１が管理する文字データ管理テーブルの例を示す図である。文字データ管理テーブルには、レコード番号１５０１に加えて、テレビ会議端末から送信された文字データ１５０２とテレビ会議端末ＩＤ１５０３とを保持する。文字データ１５０２は、当該テレビ会議端末が個別会議中に全体会議に戻る際に利用される特定キーワードであり、テレビ会議端末毎に任意の文字データを登録しておくことができる。
【００１８】
なお、テレビ会議サーバ１０１、音声認識サーバ１０２、検索サーバ１０３、テレビ会議端末１０４，１０５は、いずれも例えば図示しないＣＰＵやメモリ、ハードディスクなどから構成されており、各種機能部（映像合成部１００３や制御部１００４等）はメモリに格納された所定のプログラムをＣＰＵが実行することにより実現され、各種記憶部（テレビ会議端末ＩＤ記憶部１００１やテレビ会議端末状態記憶部１００２等）は、メモリやハードディスクによって実現される。
【００１９】
図２は、本実施形態のテレビ会議システムにおける字幕表示処理を示すフローチャートである。ステップ２０１にてテレビ会議端末から動画（音声・映像データ）と自身のテレビ会議端末ＩＤとを受信したテレビ会議サーバ１０１は、音声データを抽出しテレビ会議端末ＩＤとともに（もしくは別々に）音声認識サーバ１０２へ送信する（ステップ２０２）。なお、このときテレビ会議端末は全体会議中であり、テレビ会議端末毎の会議状態「全体会議中」がテレビ会議端末状態記憶部１００２にて管理されているものとする。
【００２０】
音声認識サーバ１０２の字幕作成部１３０２は、受信した音声データを字幕データに変換し（ステップ２０３）、字幕色管理テーブルを参照してテレビ会議端末ＩＤに対応して字幕データを色分けし、テレビ会議サーバ１０１へ送信する（ステップ２０４）。テレビ会議サーバ１０１では、映像データと字幕データを合成し（ステップ２０５）、音声データと合わせて動画としてテレビ会議に参加している全てのテレビ会議端末へ送信する（ステップ２０６）。
【００２１】
図３は、本実施形態のテレビ会議システムにおける個別会議制御処理を示すフローチャートである。ステップ３０１にて全体会議が行われている際、テレビ会議端末が所定の個別会話ボタンを押下することで、テレビ会議サーバ１０１に対して個別会議開催要求を送信する（ステップ３０２）。なお、個別会議開催要求には、個別会議を希望する対象のテレビ会議端末ＩＤが含まれているものとする。テレビ会議サーバ１０１は対象のテレビ会議端末に個別会議要請を送信し、対象のテレビ会議端末には個別会議要請が表示される（ステップ３０３）。対象のテレビ会議端末で個別会議を行わないことが選択されると（ステップ３０４；Ｎ）、全体会議が継続される（ステップ３０５）。一方、対象のテレビ会議端末で個別会議を行うことが選択されると（ステップ３０４；Ｙ）、映像は全体会議のままで音声のみ個別会議のテレビ会議端末同士で通信される（ステップ３０６）。なお、個別会議を行うことが選択され個別会議を立ち上げる際に、テレビ会議サーバは、テレビ会議端末状態管理テーブルの個別会議を行うテレビ会議端末の会議状態１２０３を「個別会議中」に更新する。また会議状態１２０３には「個別会議中」に加えて個別会議の相手のテレビ会議端末ＩＤも記憶しておく。
【００２２】
テレビ会議端末から個別会議解除ボタンを押下することで、テレビ会議サーバ１０１に対して個別会議切断要求を送信する（ステップ３０７）。テレビ会議端末からの切断要求を基に、テレビ会議サーバ１０１では個別会議を切断し個別会議を終了する（ステップ３０８）。これにより、個別会議をしていたテレビ会議端末も全体会議に戻り通信が行われる（ステップ３０９）。
【００２３】
続いて、テレビ会議端末が個別会議を行っているときに全体会議に呼出されたときの検索サーバの動作について説明する。全体会議呼び戻しに関する検索サーバの動作フローチャートは２つあり、図４および図５を用いて説明する。
【００２４】
図４は、検索サーバが音声認識サーバ１０２から字幕データを受信した際の動作を示すフローチャートである。ここでは、個別会議をしているテレビ会議端末が存在する場合に、全体会議に参加しているテレビ会議端末の映像・音声データをテレビ会議サーバ１０１が受信し、その音声データから字幕データを生成した音声認識サーバ１０２が字幕データを検索サーバ１０３に送信する場合を想定している。
【００２５】
ステップ４０１にて検索サーバ１０３が音声認識サーバ１０２から字幕データを受信すると（ステップ４０１）、字幕データと検索サーバ１０３の文字データ管理テーブルに登録されている文字データ１５０２とを照合する（ステップ４０２）。字幕データに文字データ１５０２が存在しなかった場合（ステップ４０３；Ｎ）、字幕データの呼出通知をＮＵＬＬとする（ステップ４０４）。一方、字幕データに文字データ１５０２が存在した場合（ステップ４０３；Ｙ）、存在した文字データ１５０２に対応するテレビ会議端末ＩＤ１５０３を抽出し（ステップ４０５）、テレビ会議サーバ１０１へ抽出したテレビ会議端末ＩＤを字幕データの呼出通知として送信する（ステップ４０６）。その後のテレビ会議サーバ１０１の動作は図６で後述する。
【００２６】
図５は、検索サーバがテレビ会議端末から登録する文字列とテレビ会議端末ＩＤを受信した際の動作を示すフローチャートである。ここでは、テレビ会議端末が個別会議から全体会議に戻るために利用される特定キーワードとして所定の文字列を予め登録しておく場合を想定している。
【００２７】
ステップ５０１にてテレビ会議端末が登録する文字列とテレビ会議端末ＩＤを検索サーバ１０３へ送信する。検索サーバ１０３は、登録する文字列とテレビ会議端末ＩＤを受信すると（ステップ５０２）、受信した登録する文字列とテレビ会議端末ＩＤを紐付けて文字データ記憶部１４０１の文字データ１５０２とテレビ会議端末ＩＤ１５０３へそれぞれ登録する。
【００２８】
図６は、テレビ会議端末が個別会議を行っているときに全体会議に呼び戻される際のテレビ会議サーバ１０１の動作を示すフローチャートである。ここでは、図４のステップ４０６において検索サーバ１０３からステップ４０５で抽出したテレビ会議端末ＩＤを字幕データの呼出通知として受信する場合を想定している。
【００２９】
ステップ６０１において個別会議が行われている際に、テレビ会議サーバ１０１は、呼出通知のテレビ会議端末ＩＤを受信したかを判断する（ステップ６０２）。テレビ会議端末ＩＤを受信していない場合は、個別会議が継続される（ステップ６０３）。テレビ会議端末ＩＤを受信した場合は、対象のテレビ会議端末に個別会議を終了させ（ステップ６０４）、全体会議に戻る（ステップ６０５）。具体的には、ステップ６０２で受信したテレビ会議端末ＩＤをキーにテレビ会議端末状態記憶部１００２が管理するテレビ会議端末状態管理テーブルを検索し、対応するテレビ会議端末の会議状態１２０３が「個別会議中」であったら、当該テレビ会議端末と相手のテレビ会議端末を特定し、個別会議を切断し、全体会議に戻す。
【００３０】
図７は、本実施形態のテレビ会議システムにおける音声字幕表示の動作シーケンスの例である。以下シーケンスに沿って処理内容を説明する。全体会議に参加しているテレビ会議端末１０４が音声・映像データとテレビ会議端末ＩＤをテレビ会議サーバ１０１へ送信する（ステップ７０１）。音声・映像データをテレビ会議サーバ１０１が受信する（ステップ７０２）。テレビ会議サーバ１０１が受信した音声・映像データから音声データのみを抽出し（ステップ７０３）、音声認識サーバ１０２に送信する（ステップ７０４）。音声認識サーバ１０２が音声データを受信し（ステップ７０５）、音声データを基に字幕データを作成する（ステップ７０６）。テレビ会議サーバ１０１が、ステップ７０４で送信した音声データに対応するテレビ会議端末ＩＤを音声認識サーバ１０２へ送信する（ステップ７０７）。音声認識サーバ１０２がテレビ会議端末ＩＤを受信し（ステップ７０８）、字幕データとテレビ会議端末ＩＤを紐付る（ステップ７０９）。音声認識サーバ１０２が、テレビ会議端末ＩＤをキーに字幕色管理テーブルを検索し、対応する字幕色１６０３を用いて字幕データに色付けする（ステップ７１０）。色付けした字幕データをテレビ会議サーバ１０１に送信する（ステップ７１１）。テレビ会議サーバ１０１が字幕データを受信し（ステップ７１２）、音声・映像データに字幕データを合成し（ステップ７１３）、全体会議に参加している全てのテレビ会議端末へ送信する（ステップ７１４）。テレビ会議端末が音声・映像データを受信し（ステップ７１５）、色付けされた字幕データと共に音声・映像データを表示する（ステップ７１６）。
【００３１】
図８は、本実施形態のテレビ会議システムにおける個別会議制御処理の動作シーケンスの例である。以下シーケンスに沿って処理内容を説明する。全体会議に参加しているテレビ会議端末１０４が個別会議を実施したいテレビ会議端末１０５を選択する（ステップ８０１）。テレビ会議端末１０４がテレビ会議端末１０５のテレビ会議端末ＩＤを含む個別会議要求をテレビ会議サーバ１０２に送信する（ステップ８０２）。テレビ会議サーバ１０１が個別会議要求を受信し（ステップ８０３）、個別会議要求先のテレビ会議端末ＩＤを確認し（ステップ８０４）、対象のテレビ会議端末１０５に対して、個別会議要求の通知を送信する（ステップ８０５）。テレビ会議端末１０５がテレビ会議端末１０４からの個別会議要求の通知を表示する（ステップ８０６）。テレビ会議端末１０５が個別会議の許可を選択し（ステップ８０７）、個別会議要求許可をテレビ会議サーバ１０１へ送信する（ステップ８０８）。
【００３２】
テレビ会議サーバ１０１が個別会議要求許可を受信すると（ステップ８０９）、個別会議を起動し（ステップ８１０）、個別会議を要求したテレビ会議端末１０４と要求を許可したテレビ会議端末１０５を個別会議に接続し（ステップ８１１）、映像は全体会議のままで音声のみの個別会議が開始される（ステップ８１２）。このように、個別会議は、全体会議に参加している複数のテレビ会議端末のうち、所定のテレビ会議端末間のみでテレビ会議サーバを介した音声データの送受信を行なうことにより実施され、個別会議をしているテレビ会議端末の音声は、個別会議の参加者のみに送信される。なお、個別会議を起動する際に、テレビ会議サーバ１０１は、テレビ会議端末状態管理テーブルの個別会議を行うテレビ会議端末の会議状態１２０３を「個別会議中」に更新する。また会議状態１２０３には「個別会議中」に加えて個別会議の相手のテレビ会議端末ＩＤも記憶しておく。また全体会議に参加しているテレビ会議端末の表示画面には、個別会議に参加しているテレビ会議端末の映像として「個別会議参加中」などの表示を行っても良いし、個別会議を行っている最中の映像をそのまま表示してもよい。
【００３３】
個別会議が終了すると、テレビ会議端末１０４が個別会議切断要求をテレビ会議サーバ１０１に送信する（ステップ８１３）。テレビ会議サーバ１０１が個別会議切断要求を受信すると（ステップ８１４）、個別会議を行っているテレビ会議端末間のみでの音声データの送受信を中止して個別会議を終了し（ステップ８１５）、テレビ会議端末１０４とテレビ会議端末１０５との個別会議が切断される（ステップ８１６）。テレビ会議端末１０４とテレビ会議端末１０５では、個別会議が終了し、全体会議に戻る（ステップ８１７）。
【００３４】
図９は、本実施形態のテレビ会議システムにおける全体会議からの呼び戻し処理の動作シーケンスの例である。以下シーケンスに沿って処理内容を説明する。テレビ会議端末１０４は個別会議を行っている（ステップ９０１）。テレビ会議端末１０５は個別会議を行っておらず全体会議のみを行っており（ステップ９０２）、テレビ会議端末１０５から音声・映像データをテレビ会議サーバ１０１へ送信する（ステップ９０３）。テレビ会議サーバ１０１が音声・映像データを受信すると（ステップ９０４）、音声データを抽出し、音声認識サーバ１０２へ送信する（ステップ９０５）。なお、テレビ会議サーバ１０１は、テレビ会議端末状態管理テーブルの会議状態１２０３を参照し、「個別会議中」のテレビ会議端末が存在する場合のみ、ステップ９０５において音声データを音声認識サーバ１０２へ送信する際に、字幕データを検索サーバ１０３へ送信するよう、音声認識サーバ１０２へ指示してもよい。
【００３５】
音声認識サーバ１０２は、音声データを受信すると（ステップ９０６）、字幕データを作成し（ステップ９０７）、検索サーバ１０３へ送信する（ステップ９０８）。検索サーバ１０３は、字幕データを受信すると（ステップ９０９）、字幕データと検索サーバ１０３の文字データ管理テーブルに登録されている文字データ１５０２とを照合し、字幕データに文字データ管理テーブルに登録されている文字データ１５０２が有ることが確認されると（ステップ９１０）、対応するテレビ会議端末ＩＤ１５０３を確認し（ステップ９１１）、テレビ会議サーバ１０１へ送信する（ステップ９１２）。
【００３６】
テレビ会議サーバ１０１はテレビ会議端末ＩＤ１５０３を受信すると（ステップ９１３）、テレビ会議端末状態管理テーブルを検索し、対応する会議状態１２０３が「個別会議中」であれば、当該テレビ会議端末ＩＤ１５０３に対応するテレビ会議端末が行っている個別会議を終了し、個別会議を切断する（ステップ９１４）。個別会議を行っていたテレビ会議端末は個別会議を終了し（ステップ９１５）、全体会議に戻る（ステップ９１６）。
【００３７】
以上説明したように、本実施形態によれば、テレビ会議端末の画面上に映像と字幕テキストデータを表示することで会話内容を瞬時に把握することができ、且つ会議通話者（テレビ会議端末）毎に字幕テキストデータを色分けで表示することで、誰が会話しているかを即座に判別することを可能となる。
【００３８】
また全体会議中に個別会議を実施する場合、個別会議をしている最中に全体会議から呼出が掛かっていることを把握できるようにするため、事前に特定のキーワードを登録しておくことにより、音声認識により自動若しくは手動により全体会議へ戻ることができる。
【符号の説明】
【００３９】
１０１：テレビ会議サーバ、１０２：音声認識サーバ、１０３：検索サーバ、１０４，１０５：テレビ会議端末、１００１：テレビ会議端末ＩＤ記憶部、１００２：テレビ会議端末状態記憶部、１００３：映像合成部、１００４：制御部、１３０１：音声認識部、１３０２：字幕作成部、１３０３：字幕色記憶部、１４０１：文字データ記憶部、１４０２：文字データ処理部
【図１】
2015041885.tif 000003
【図２】
2015041885.tif 000004
【図３】
2015041885.tif 000005
【図４】
2015041885.tif 000006
【図５】
2015041885.tif 000007
【図６】
2015041885.tif 000008
【図７】
2015041885.tif 000009
【図８】
2015041885.tif 000010
【図９】
2015041885.tif 000011
【図１０】
2015041885.tif 000012
【図１１】
2015041885.tif 000013
【図１２】
2015041885.tif 000014
【図１３】
2015041885.tif 000015
【図１４】
2015041885.tif 000016
【図１５】
2015041885.tif 000017
【図１６】
2015041885.tif 000018